(57)【要約】【課題】ケーシングの全体形状を変更させることなく、コーナ部に仕切り板を取り付けるという簡単な構造で、風量調節ダンパとコーナ部との隙間を狭くして、風量調節ダンパによる風量調整、特に、低燃焼域での風量調整を安定させるようにした燃焼用送風機の提供。【解決手段】ケーシング２０の周壁２２に形成した吹出口筒部２６の入口部分に風量調節ダンパ５が設けられている燃焼用送風機２であって、ケーシングの周壁と吹出口筒部とのコーナ部２９に、風量調節ダンパとの隙間を狭めるようにケーシング内方に張り出す状態に仕切り板６を取り付けた。【選択図】　　　図１
2004028390.tif 000002
【特許請求の範囲】
【請求項１】
内部に羽根車を設けたケーシングの周壁に吹出口筒部が形成され、この吹出口筒部の吹出口が燃焼用バーナの空気通路に接続されると共に、前記吹出口筒部の入口部分に風量調節ダンパが設けられている燃焼用送風機であって、
前記ケーシングの周壁と吹出口筒部とのコーナ部に、このコーナ部と、風量調節ダンパとの隙間を狭めるようにケーシング内方に張り出す状態に仕切り板が取り付けられていることを特徴とする燃焼用送風機。
【請求項２】
請求項１記載の燃焼用送風機において、前記仕切り板の先端縁が羽根車の軸方向に対して斜めに形成された斜縁で形成されている燃焼用送風機。
【発明の詳細な説明】
【０００１】
【発明の属する技術分野】
本発明は、家庭用給湯機等に設備される燃焼用バーナに空気を供給するために用いられる燃焼用送風機に関する。
【０００２】
【従来の技術】
家庭用給湯機等に設備される燃焼用バーナでは、燃油噴霧ノズルから燃焼部に燃油（石油等）を噴霧させると共に、燃焼用送風機から燃焼部に空気を供給し、この空気と燃油とを混合させて燃焼部で燃焼させることになる。
【０００３】
従来の燃焼用送風機は、図９に示すように、内部に羽根車２４を設けたケーシング２０の周壁２２に吹出口筒部２６が形成され、この吹出口筒部２６の吹出口２８が燃焼用バーナの空気通路に接続されると共に、前記吹出口筒部２６の入口部分に風量調節ダンパ５が設けられたものになっている。
【０００４】
従って、羽根車２４を駆動モータにより回転させると、ケーシング２０に形成した吸気口（図示せず）からケーシング２０内に空気が吸い込まれ、この吸い込まれた空気が吹出口筒部２６を経て吹出口２８から燃焼用バーナの空気通路に流入し、燃焼部に供給される。
この場合、燃焼量の高低に応じて、風量調節ダンパ５により空気量を調節するもので、低燃焼時には、吹出口筒部２６の入口部分を塞ぐように風量調節ダンパ５を閉じて、燃焼部への空気供給量を僅かにし、逆に、高燃焼時には、吹出口筒部２６の入口部分を開放するように風量調節ダンパ５を開いて、燃焼部への空気供給量を増大させる必要がある。
【０００５】
【発明が解決しようとする課題】
しかしながら、前記風量調節ダンパ５は、吹出口筒部２６の入口部分に配設されるため、ケーシング２０の周壁２２と吹出口筒部２６とのコーナ部２９の間に隙間Ｓが生じてしまう。
特に、図９に示すように、低燃焼時における風量調節ダンパ５の全閉状態でも、コーナ部２９との間に隙間Ｓが生じてしまうため、この隙間Ｓから流入した空気によって空気供給量の調節に誤差が生じ、微妙な燃焼制御を必要とする低燃焼域での燃焼状態が不安定になるという問題があった。
【０００６】
このような隙間Ｓを狭める方策として、例えば、コーナ部２９をケーシング２０内方に張り出すような形状に成形することが考えられるが、これではケーシング２０全体の形状を変更して製作しなければならず、互換性や金型製作に伴なうコスト負担の増大という不利が生じてしまう。
又、吹出口筒部２６の寸法を長くして風量調節ダンパ５を吹出口筒部２６の中に設けることも考えられるが、無駄な空間が増え、コンパクトにならない。
【０００７】
本発明は、上記のような問題を解決するためになされたもので、ケーシングの全体形状を変更させることなく、コーナ部に仕切り板を取り付けるという簡単な構造で、風量調節ダンパとコーナ部との隙間を狭くすることができ、これにより、風量調節ダンパによる風量調整、特に、低燃焼域での風量調整を安定させることができるようにする。
加えて、仕切り板を取り付たことに伴なうサイレン様のうなり音の発生を抑えることができるようにした燃焼用送風機を提供することを課題としている。
【０００８】
【課題を解決するための手段】
上記課題を解決するために、本発明の燃焼用送風機（請求項１）は、
内部に羽根車を設けたケーシングの周壁に吹出口筒部が形成され、この吹出口筒部の吹出口が燃焼用バーナの空気通路に接続されると共に、前記吹出口筒部の入口部分に風量調節ダンパが設けられている燃焼用送風機であって、
前記ケーシングの周壁と吹出口筒部とのコーナ部に、このコーナ部と、風量調節ダンパとの隙間を狭めるようにケーシング内方に張り出す状態に仕切り板が取り付けられている構成とした。
【０００９】
又、本発明の燃焼用送風機（請求項２）は、
前記燃焼用送風機（請求項１）において、前記仕切り板の先端縁が羽根車の軸方向に対して斜めに形成された斜縁で形成されている構成とした。
【００１０】
【発明の実施の形態】
以下、本発明の実施の形態を図面に示す実施例より説明する。尚、本発明の具体的な構成は、以下の実施の形態に限定されるものではない。
図１は本発明の実施例に係る燃焼用送風機の要部を示す断面図、図２は図４のＡ−Ａで切断した燃焼用送風機の全体を示す概略断面図、図３は仕切り板の先端形状を示す平面図、図４は燃焼用送風機に接続した燃焼用バーナの概略断面図である。
【００１１】
本実施例の燃焼用送風機２は、家庭用給湯機等に設備された燃焼用バーナ１に接続されている。
前記燃焼用バーナ１は、石油を燃料として燃焼するもので、図４に示すように、外筒１０と燃焼部としての燃焼筒１１の間に燃焼用送風機２により通風される空気通路３が形成されている。
前記燃焼筒１１には、胴部に多数の空気穴１１ａが形成されると共に、上面に噴霧口１１ｂが形成され、前記外筒１０の上面には、前記噴霧口１１ｂに望むように燃油噴霧ノズル４が取り付けられている。
【００１２】
前記燃焼用送風機２は、図２に示すように、底板２１と、周壁２２と、蓋板２３とで形成されたケーシング２０の内部に羽根車２４が設けられ、前記蓋板２３の中央部に吸気口２５が形成されると共に、周壁２２の一部に吹出口筒部２６が形成され、前記底板２１に取り付けた駆動モータ２７に前記羽根車２４が連結されている。
又、前記吹出口筒部２６の吹出口２８は、燃焼用バーナ１の空気通路３に接続されると共に、前記吹出口筒部２６の入口部分に風量調節ダンパ５が設けられている。
【００１３】
又、前記ケーシング２０の周壁２２と吹出口筒部２６とのコーナ部２９には、図１に示すように、ケーシング２０内方に張り出す状態に平板状の仕切り板６が取り付けられ、この仕切り板６によってコーナ部２９と風量調節ダンパ５との隙間を狭めるようにしている。
【００１４】
そして、この燃焼用バーナ１では、燃油噴霧ノズル４から燃焼筒１１に燃油（石油等）を噴霧させると共に、燃焼用送風機２から燃焼筒１１に空気を供給し、この空気と燃油とを混合させて燃焼筒１１で燃焼させることになる。
この場合、燃焼量の高低に応じて燃油噴霧ノズル４から噴霧させる燃油量及び燃焼筒１１に供給する空気量を増減することになる。
【００１５】
即ち、低燃焼域での燃焼時には、燃油噴霧ノズル４から少量の燃油量を噴霧させ、一方、風量調節ダンパ５を、吹出口筒部２６の入口部分を塞ぐように全閉させて、燃焼筒１１への空気供給量を僅かにさせる。
又、高燃焼域での燃焼時には、燃油噴霧ノズル４から多量の燃油量を噴霧させ、一方、風量調節ダンパ５を、吹出口筒部２６の入口部分を開放するように全開させて、燃焼筒１１への空気供給量を増大させる。
又、低燃焼域と高燃焼域との中間燃焼時には、燃油噴霧ノズル４による燃油噴霧量に対応して、風量調節ダンパ５を、角度を持った中間位置に位置決めして、燃焼用送風機２から燃焼筒１１への空気量を調整させる。
【００１６】
このとき、前記燃焼用送風機２では、駆動モータ２７による羽根車２４の回転により吸気口２５からケーシング２０内に空気が吸い込まれ、この吸い込まれた空気が、吹出口筒部２６の入口部分において、上記のように風量調節ダンパ５によって風量調節されたのち吹出口２８から燃焼用バーナ１の空気通路３に流入し、燃焼筒１１に供給される。
このように、燃焼用送風機２では、吹出口筒部２６において、風量調節ダンパ５によって風量調節するもので、このとき、仕切り板６によってコーナ部２９と風量調節ダンパ５との隙間が狭められているため、特に、低燃焼時における風量調節ダンパ５の全閉状態において、コーナ部２９と風量調節ダンパ５との隙間から空気が流入するのを抑制でき、隙間から流入した空気によって空気供給量の調節に誤差が生じるといった不具合を解消して、微妙な燃焼制御を必要とする低燃焼域での燃焼状態を安定させることができる。
【００１７】
又、前記仕切り板６の先端縁は、図３で示すように、羽根車２４の軸方向に対して斜めに形成された斜縁６０で形成されている。
この図３の例では、仕切り板６の先端形状を山形に形成して、斜縁６０，６０を両側に形成している。
なお、仕切り板６の先端形状を、図５に示すように、全体的に斜めに形成して、先端縁全体を斜縁６０で形成してもよいし、或いは、図６に示すように、仕切り板６の先端形状を複数の山形に形成して、先端縁をジグザグ状の斜縁６０，６０で形成してもよい。
【００１８】
前記仕切り板６は、ケーシング２０内方に張り出す状態に取り付けられているため、羽根車２４に連れてケーシング２０内を旋回しようとする空気流を切り離して、吹出口筒部２６に流入させるガイド板としての機能がある。
この場合、仕切り板６の先端縁が、仮に図７に示すように、羽根車２４の軸方向に対して平行縁６１に形成されていると、羽根車２４に連れて旋回する空気流が同一の周速で仕切り板の先端縁で切り離されるため、そのときの風切り音が増幅し、サイレン様のうなり音として発生することになる。
【００１９】
そこで、前記したように、仕切り板６の先端縁を斜縁６０で形成すると、羽根車２４に連れて旋回する空気流が異なる周速で切り離されるため、そのときの風切り音が分散され、うなり音の発生を抑えることができる。
なお、本願発明者において、図７に示すように、仕切り板６の先端縁を平行縁６１で形成した場合と、図３、図５、図６に示すように、斜縁６０で形成した場合とで、うなり音の比較をした結果、斜縁６０で形成した場合は、平行縁６１で形成した場合に比べて大幅にうなり音の発生が抑えられていることを確認できた。
【００２０】
次に、図８は他例の仕切り板を取り付けた燃焼用送風機の要部を示す断面図である。
この場合の仕切り板６は、コーナ部２９をそのままの形状でケーシング２０内方に膨出させるように曲げ形成されて取り付けられた湾曲板により形成されている。
なお、その他の構成及び作用は前記した実施例と同様である。
【００２１】
【発明の効果】
以上説明してきたように、本発明の燃焼用送風機（請求項１）にあっては、ケーシングの周壁と吹出口筒部とのコーナ部に、仕切り板を取り付けたので、ケーシングの全体形状を変更させることなく、コーナ部に仕切り板を取り付けるという簡単な構造で、風量調節ダンパとコーナ部との隙間を狭くすることができ、これにより、風量調節ダンパによる風量調整、特に、低燃焼域での風量調整を安定させることができる。
【００２２】
また、本発明の燃焼用送風機（請求項２）にあっては、仕切り板の先端縁を、羽根車の軸方向に対して斜めに形成された斜縁で形成したので、仕切り板を取り付たことに伴なうサイレン様のうなり音の発生を抑えることができる。
【図面の簡単な説明】
【図１】本発明の実施例に係る燃焼用送風機の要部を示す断面図である。
【図２】図４のＡ−Ａで切断した燃焼用送風機の全体を示す概略断面図である。
【図３】仕切り板の先端形状を示す平面図である。
【図４】燃焼用送風機に接続した燃焼用バーナの概略断面図である。
【図５】仕切り板の先端形状の他例を示す平面図である。
【図６】仕切り板の先端形状の他例を示す平面図である。
【図７】仕切り板の先端縁を平行縁で形成した場合の平面図である。
【図８】他例の仕切り板を取り付けた燃焼用送風機の要部を示す断面図である。
【図９】従来の燃焼用送風機の要部を示す断面図である。
【符号の説明】
１　燃焼用バーナ
１０　外筒
１１　燃焼筒
１１ａ　空気穴
１１ｂ　噴霧口
２　燃焼用送風機
２０　ケーシング
２１　底板
２２　周壁
２３　蓋板
２４　羽根車
２５　吸気口
２６　吹出口筒部
２７　駆動モータ
２８　吹出口
２９　コーナ部
３　空気通路
４　燃油噴霧ノズル
５　風量調節ダンパ
６　仕切り板
６０　斜縁
６１　平行縁
Ｓ　隙間
【図１】
2004028390.tif 000003
【図２】
2004028390.tif 000004
【図３】
2004028390.tif 000005
【図４】
2004028390.tif 000006
【図５】
2004028390.tif 000007
【図６】
2004028390.tif 000008
【図７】
2004028390.tif 000009
【図８】
2004028390.tif 000010
【図９】
2004028390.tif 000011